(57)【要約】      （修正有）【課題】確実にタンク内の液位を測定することができる液位測定装置を提供する。【解決手段】液位測定装置１は、油と、油よりも比重が大きい水とを貯留するタンク内における水の水位の測定に用いる液位測定装置１であって、端部に分銅１８が取り付けられたスケールテープ１６と、紐状部材２２の端部に取り付けられ、油中で沈下し、水中で浮上するフロート１２と、フロート１２をスケールテープ１６に沿って移動可能に案内する案内機構１４と、を備える。【選択図】図１
0003181823.tif 000002
【実用新案登録請求の範囲】
【請求項１】
第１の液体と、前記第１の液体よりも比重が大きい第２の液体とを貯留するタンク内における前記第２の液体の液位の測定に用いる液位測定装置であって、
端部に錘が取り付けられたスケールテープと、
紐状部材の端部に取り付けられ、前記第１の液体内で沈下し、前記第２の液体内で浮上するフロートと、
前記フロートを前記スケールテープに沿って移動可能に案内する案内機構と、
を備える、液位測定装置。
【請求項２】
前記錘は、前記第１の液体及び前記第２の液体よりも比重の大きい材料からなり、
前記フロートは、前記第１の液体よりも比重が大きく、前記第２の液体よりも比重の小さい材料からなる、請求項１に記載の液位測定装置。
【請求項３】
前記第１の液体が油であり、前記第２の液体が水である、請求項１又は２に記載の液位測定装置。
【請求項４】
前記案内機構は、該案内機構を前記スケールテープに対して固定する固定機構を含む、請求項１に記載の液位測定装置。
【考案の詳細な説明】
【技術分野】
【０００１】
本考案は、タンク内の液体の液位を測定する液位測定装置に関する。
【背景技術】
【０００２】
従来から、比重が異なる液体を貯蔵するタンクが知られている。例えば、水が混ざった廃油を貯蔵するスロップタンクでは、油量の管理やタンク内の水を処理するために、定期的にタンク内の水位を計測することが必要となる。
【０００３】
このようなタンク内の液位を計測する技術の一つとして、水分検知剤を用いて油を貯蔵するタンク内の水位を測定する装置が知られている。例えば、特許文献１には、水分に接触すると変色するウォータリボンを水分検知剤として用いた燃料油タンク分離水測定器が記載されている。この装置は、確認面とウォータリボン塗布面とがほぼ対向して設けられた透明板と、この透明板が確認面およびウォータリボン塗布面を露出させて取り付けられるウエイトと、このウエイトを燃料油タンク底まで吊降ろすサウンディングスケールテープとを備えており、確認面に付着した油膜を拭取り、この確認面を介しウォータリボン塗布面を内側から目視確認することで、水位を測定している。
【先行技術文献】
【特許文献】
【０００４】
【特許文献１】実用新案登録第２５２９７４６号公報
【考案の概要】
【考案が解決しようとする課題】
【０００５】
しかしながら、ウォータリボンは、タンク内で水分と接触する時間が短いと十分に変色せず、液体との接触時間が長すぎるとウォータリボンが液体中に流出してしまうという特性を有している。このため、特許文献１に記載の装置では、塗布するウォータリボンの厚さ、範囲、測定スピード等の測定条件によっては、正確に液位の測定ができない場合がある。
【０００６】
そこで、本考案はこのような技術課題を解決するためになされたものであって、確実にタンク内の液位を測定することができる液位測定装置を提供することを目的とする。
【課題を解決するための手段】
【０００７】
本考案に係る液位測定装置は、第１の液体と、第１の液体よりも比重が大きい第２の液体とを貯留するタンク内における第２の液体の液位の測定に用いる液位測定装置であって、端部に錘が取り付けられたスケールテープと、紐状部材の端部に取り付けられ、第１の液体内で沈下し、第２の液体内で浮上するフロートと、フロートをスケールテープに沿って移動可能に案内する案内機構と、を備える。
【０００８】
比重の異なる液体を貯留するタンク内では、比重差により第１の液体の液層と第２の液体の液層が形成される。本考案に係る液位測定装置では、スケールテープの端部に取り付けられた錘はタンクの底部まで沈下する。一方、フロートは、スケールテープに沿って沈下・浮上して、第１の液体と第２の液体の界面で停止する。ここで、スケールテープ及び紐状部材に弛みがない状態で、スケールテープ及びフロートを共にタンク外に引き上げることで、スケールテープとフロートとの相対位置により、第２の液体の液位を測定することができる。このように、本考案に係る液位測定装置では、スケールテープとフロートと比重差によって生じる相対位置に基づいて第２の液体の液位を測定することができるため、確実に液位を測定することができる。
【０００９】
本考案に係る液位測定装置では、錘は、第１の液体及び第２の液体よりも比重の大きい材料からなり、フロートは、第１の液体よりも比重が大きく、第２の液体よりも比重の小さい材料からなるものであってもよい。このような構成によれば、錘を確実にタンク底部まで沈下させるとともに、フロートを第１の液体と第２の液体の界面で静止させることができる。
【００１０】
本考案に係る液位測定装置では、第１の液体が油であり、第２の液体が水であってもよい。この場合には、タンク内に混入した水の水位を測定することができる。
【００１１】
また、本考案に係る液位測定装置では、案内機構は、該案内機構をスケールテープに対して固定する固定機構を含んでいてもよい。このような構成によれば、固定機構により案内機構が固定された位置に基づいて、容易に液位を把握することができる。
【考案の効果】
【００１２】
本考案によれば、確実にタンク内の液位を測定することができる。
【図面の簡単な説明】
【００１３】
【図１】一実施形態に係る液位測定装置の正面図である。
【図２】水位の測定対象となるタンクの断面図である。
【図３】一実施形態に係る液位測定装置を用いたタンク内の水位の測定手順を示す図である。
【図４】他の実施形態に係る液位測定装置を用いたタンク内の水位の測定手順を示す図である。
【図５】他の実施形態に係る液位測定装置を用いたタンク内の水位の測定手順を示す図である。
【考案を実施するための形態】
【００１４】
以下、本考案の実施形態について、図面を参照して詳細に説明する。なお、以下の説明において同一又は相当部分には同一符号を付し、重複する説明を省略する。
【００１５】
本考案の一実施形態は、例えば石油精製工場、石油備蓄基地、又は石油タンカー等の貯蔵・貯留設備（スロップタンク）の液位測定に用いられるものである。図１は、本考案の一実施形態に係る液位測定装置１の正面図である。液位測定装置１は、比重が異なる液体を貯蔵するタンク内の比重の大きい液体の液位を測定する装置である。以下では、比重の異なる液体として油（第１の液体）と水（第２の液体）を貯蔵するタンク内において、水の水位を測定する例を挙げて説明する。液位測定装置１は、図１に示すように、タンクスケール１０、フロート１２、及び案内機構１４を備えている。
【００１６】
タンクスケール１０は、基点からの高さの計測に用いられる巻尺である。タンクスケール１０は、スケールテープ１６及び分銅（錘）１８を含んで構成される。スケールテープ１６は、タンクの全高以上の長さを有する帯状部材である。スケールテープ１６は任意の素材を用いることができる。一実施形態では、スケールテープ１６は、タンク内に貯蔵される液体よりも比重の大きな素材によって構成され得る。例えば、スケールテープ１６は、弛みが生じにくくなるように剛性の大きな金属により構成され得る。具体的には、スケールテープ１６は、鉄、ステンレス、銅、鋼等の金属から構成され得る。一実施形態では、スケールテープ１６の表面には、タンクスケール１０の先端からの長さを示す目盛りが設けられていてもよい。
【００１７】
分銅１８は、スケールテープ１６をタンク底部に沈下させる錘としての機能を有する。分銅１８は、略円柱状の部材であり、スケールテープ１６の先端部に取り付けられている。分銅１８は、タンク内に貯蔵される水及び油よりも比重の大きな素材によって構成される。例えば分銅１８は、鉄、ステンレス、銅、鋼等の金属から構成され得る。
【００１８】
スケールテープ１６の基端側には、巻取機構２０が設けられている。巻取機構２０は、巻取リール２０ａ及びハンドル部２０ｂを含んで構成され、スケールテープ１６の基端部は巻取リール２０ａに取り付けられている。ハンドル部２０ｂを回転させることで、巻取リール２０ａが回転し、スケールテープ１６の巻取り及び送り出しが可能とされている。
【００１９】
フロート１２は、比重が異なる液体である水及び油を貯蔵するタンク内において、相対的に比重の小さな油の中で沈下し、相対的に比重の大きな水の中で浮上する。フロート１２は、任意の形状を有し得るが、一実施形態では、図１に示すように略円柱状をなしていてもよい。フロート１２は、油に対して沈み、水に対して浮くために、油よりも比重が大きく、水よりも比重の小さい材料から構成される。このような比重を有することで、タンク内に投入されたフロート１２は、タンク内の水と油の比重の中立位置、すなわち水と油の界面位置において静止する。また、一実施形態では、フロート１２は、液体内で鉛直方向を向いて静止するように重量バランスが定められていてもよい。更に、一実施形態では、フロート１２には、水位の測定点を示す液位指示部２６が設けられていてもよい。液位指示部２６は、フロート１２が液体内で静止した際に、水と油の界面位置と液位指示部２６の取付位置とが一致するように取り付けられている。
【００２０】
フロート１２の基端部には、紐状部材２２の一端が取り付けられている。紐状部材２２は、タンクの全高以上の長さを有する紐状の部材である。紐状部材２２は、任意の素材により構成され得るが、一実施形態では、弛みが生じやすい剛性の小さな軽量な素材により構成され得る。一実施形態では、繊維素材から構成される糸、紐、又は金属線であってもよい。
【００２１】
紐状部材２２の他端は、巻取具２４に接続されている。巻取具２４には、巻き枠が設けられており、巻き枠に紐状部材２２を巻き付けることにより、紐状部材２２が巻き取られる。反対に、巻き枠から紐状部材２２を解くことにより紐状部材２２が送り出される。
【００２２】
案内機構１４は、フロート１２をスケールテープ１６に沿って移動可能に案内する機構である。案内機構１４は、フロート１２をスケールテープ１６に沿って移動可能に案内できるものであれば任意の構成を採用し得る。例えば、図１に示すように、案内機構１４はフロート１２とスケールテープ１６とを互いに接続する針金等の金属線であり、金属線の一端側がフロート１２に対して巻き付け固定されており、他端側がスケールテープ１６の幅より大きな内径を有する環状とされていてもよい。この場合には、該環状の金属線の中にスケールテープ１６が挿入されることで、フロート１２がスケールテープ１６に対して、一定距離を保ちつつスライド移動可能とされる。フロート１２及びスケールテープ１６は、案内機構１４により、フロート１２の基端側の向きとスケールテープ１６の基端側の向きが一致するように互いに接続される。このように、案内機構１４を用いてフロート１２とスケールテープ１６とが互いに接続されることにより、仮に紐状部材２２が劣化等によって切断された場合であっても、タンク内においてフロート１２の行方が分からなくなることが防止される。
【００２３】
次に、図２及び図３を参照して、液位測定装置１を用いたタンク内の水位の測定方法について説明する。図２に示すように、タンク３０は、その内部空間として貯蔵空間Ｓを画成している。タンク３０は、側壁部３０ａ、底壁部３０ｂ、及び屋根部３０ｃを含み得る。
【００２４】
屋根部３０ｃには、第１検尺口３２及び第２検尺口３４が設けられている。屋根部３０ｃのうち、第１検尺口３２及び第２検尺口３４が設けられている位置は、開口部とされている。第１検尺口３２及び第２検尺口３４は、液位測定装置１の挿入口である。第１検尺口３２は、管状をなし、貯蔵空間Ｓの底壁部３０ｂ付近から屋根部３０ｃの上方へ延びている。第２検尺口３４は、管状をなし、屋根部３０ｃ上面から屋根部３０ｃの上方へ延びている。
【００２５】
図２に示すように、タンク３０内には、水が混入された油が貯蔵されている。油と水は比重が異なるため互いに分離し、タンク上部に油層Ｌ１が形成され、タンク底部に水層Ｌ２が形成されている。油層Ｌ１と水層Ｌ２との間には、油水境界面Ｌ３が形成されている。
【００２６】
タンク３０内の水位を測定する際には、まず作業員が、案内機構１４を介してフロート１２をタンクスケール１０に接続する。次に、作業員が、スケールテープ１６及び紐状部材２２の基端側、すなわち巻取機構２０及び巻取具２４を保持した状態で、第１検尺口３２又は第２検尺口３４を介して液位測定装置１をタンク３０内に投下する。より詳細には、まずタンクスケール１０がタンク３０内に投入され、その後、フロート１２がタンク３０内に静かに投入される。タンク３０内に投下されたタンクスケール１０及びフロート１２は、図３（ａ）に示すように、タンク３０内の液体内を沈下する。
【００２７】
その後、タンクスケール１０は、図３（ｂ）に示すように、タンク３０の底部に到達し、分銅１８が底壁部３０ｂに接触する。一方、フロート１２は、案内機構１４によりスケールテープ１６に沿って移動し、やがて油水境界面Ｌ３において静止する。このとき、フロート１２は、油水境界面Ｌ３の高さと液位指示部２６の高さが一致するように静止する。フロート１２が油水境界面Ｌ３において静止すると、フロート１２の浮力によって紐状部材２２が弛むため、作業者はフロート１２が油水境界面Ｌ３において静止したことを把握することができる。
【００２８】
続いて、図３（ｃ）に示すように、作業者が紐状部材２２を伸張させた状態で、タンクスケール１０のスケールテープ１６と紐状部材２２とを固定する。スケールテープ１６と紐状部材２２とを固定する方法は任意であり、例えば、作業者の手でスケールテープ１６及び紐状部材２２を共に握ることで両者を固定してもよい。次に、図３（ｄ）に示すように、作業者がスケールテープ１６及び紐状部材２２の相対位置、すなわちスケールテープ１６とフロート１２との相対位置がずれないように、タンクスケール１０及びフロート１２を屋根部３０ｃ上部まで引き上げる。そして、作業者がスケールテープ１６の液位指示部２６が指し示す目盛りを読み取る。なお、スケールテープ１６に目盛りが設けられていない場合には、分銅１８の先端から液位指示部２６が指し示す位置までの長さを、巻き尺等を用いて計測してもよい。この読み取られた長さ（高さ）が、タンク３０内に存在する水の水位である。このようにして、タンク３０内の水の水位が測定される。
【００２９】
従来、タンク３０内の水位の測定には、水に反応して色が変化するウォータリボンが用いられている。具体的には、タンクスケール１０にウォータリボンを所定間隔（例えば、１ｍ）で塗布してタンク内の油水境界面Ｌ３の位置を仮測定した後に、油水境界面Ｌ３が存在すると予測される範囲（例えば、１ｍ範囲）でタンクスケール１０にウォータリボンを塗布して実測定を行うという２段階の測定が必要である。このときに、第１検尺口３２及び第２検尺口３４の両方を使って測定する場合もある。
【００３０】
また、ウォータリボンを用いた水位測定では、水や油の性状によっては十分に変色反応が進まず、正確な水位が測定できないことがある。また、ウォータリボンを用いた水位測定では、ウォータリボンが水と接触する時間が十分でないとウォータリボンの変色が進まず、反対に、測定に時間を掛けすぎるとウォータリボンが液体中に流出してしまい、水位の測定が行えない場合がある。そのため、従来方法では、塗布するウォータリボンの厚さ、範囲、測定スピード等の測定条件の決定に熟練した作業者の経験や勘が要求されている。また、正確な水位が得られなかった場合には、繰り返し測定を行う必要がある。更に、降雨時には塗布したウォータリボンが流出してしまうため、水位の測定を行うことができない。
【００３１】
この点、一実施形態に係る液位測定装置１によれば、スケールテープ１６とフロート１２との相対位置により、タンク３０内の水位を測定することができる。液位測定装置１では、スケールテープ１６及び紐状部材２２が弛まないように、スケールテープ１６及びフロート１２を共にタンク３０の外に引き上げるという簡単な操作で水の水位を測定することができるため、作業者の熟練度に左右されずに確実に液位を測定することができる。
【００３２】
また、液位測定装置１によれば、スケールテープ１６とフロート１２との相対位置により水位を測定するので、一回の測定で確実にタンク３０内の水位を測定することができる。更に、液位測定装置１では、水や油の性状に影響を受けにくく、水位を確実に測定することができるので、水位測定にかかる時間を短縮することができる。また、液位測定装置１によれば、天候に左右されずに水位の測定をすることができる。
【００３３】
なお、上述した実施形態に限定されることなく種々の変形態様を構成可能である。例えば、液位測定装置１は、案内機構１４をスケールテープ１６に対して固定する固定機構を更に備えていてもよい。固定機構は、公知の固定機構を採用し得る。以下、このような固定機構を備える変形例について説明する。
【００３４】
（変形例１）
図４を参照して、変形例に係る液位測定装置１Ａの構成と、液位測定装置１Ａを用いたタンク内の水位の測定方法について説明する。液位測定装置１Ａは、フロート１２及び案内機構１４に代えて、フロート１２Ａ及び案内機構１４Ａを備えている点が液位測定装置１と異なり、その他の点は液位測定装置１と同じである。以下では、主に液位測定装置１と異なる点について説明し、液位測定装置１と同じ点については説明を省略する。
【００３５】
案内機構１４Ａは、フロート１２Ａをスケールテープ１６に沿って移動可能に案内する機能を有する。案内機構１２Ａは、案内機構１４Ａをスケールテープ１６に対して固定する固定機構４０を備えている。固定機構４０は、基台４２、案内枠４４、磁性球体４６及び磁石４８を含んでいる。基台４２は、案内枠４４を支持する部材である。案内枠４４は、磁性球体４６をその長手方向に沿って案内する長尺部材である。案内枠４４は、水面に対して傾斜するように基台４２に支持されており、下側に位置する端部が位置Ｐ１とされており、上側に位置する端部が位置Ｐ２とされている。基台４２は、磁性球体４６が案内枠４４の位置Ｐ１に位置しているときには、スケールテープ１６に沿って移動可能とされており、磁性球体４６が案内枠４４の位置Ｐ２に位置しているときには、スケールテープ１６に対する移動が制限される構成を有している。例えば、位置Ｐ２に上側の力が作用すると、固定機構４０がスケールテープ１６に固定される構成であってもよい。
【００３６】
フロート１２Ａは、タンク３０内において、相対的に比重の小さな油の中で沈下し、相対的に比重の大きな水の中で浮上する。フロート１２Ａは、球体形状をなしている。フロート１２Ａの基端部には、紐状部材２２の一端が取り付けられ、フロート１２Ａの先端部には、紐状部材２３が取り付けられている。紐状部材２３は、その途中で紐状部材２３Ａ、２３Ｂに分岐している。紐状部材２３Ａの先端には磁石４８が取り付けられている。紐状部材２３Ｂの先端には磁性球体４６が取り付けられている。
【００３７】
タンク３０内の水位を測定する際には、まず作業員が、案内機構１４Ａを介してフロート１２Ａをタンクスケール１０に接続する。詳細には、図４（ａ）に示すように、磁石４８が、その磁気力により基台４２に取り付けられる。また、図４（ａ）に示すように、磁石４８の磁気力によって、磁性球体４６が案内枠４４の位置Ｐ１に固定される。次に、その状態で、作業員が、スケールテープ１６及び紐状部材２２の基端側、すなわち巻取機構２０及び巻取具２４を保持した状態で、タンクスケール１０及びフロート１２Ａを第２検尺口３４を介してタンク３０内に投下する。
【００３８】
タンク３０内に投下されたタンクスケール１０は、図４（ａ）に示すように、タンク３０の底部に到達し、分銅１８が底壁部３０ｂに接触する。一方、フロート１２Ａは、案内機構１４Ａによりスケールテープ１６に沿って移動し、やがて油水境界面Ｌ３において静止する。フロート１２Ａが油水境界面Ｌ３において静止すると、フロート１２Ａの浮力によって紐状部材２２が弛むため、作業者はフロート１２Ａが油水境界面Ｌ３において静止したことを把握することができる。
【００３９】
続いて、図４（ｂ）に示すように、作業者が紐状部材２２を吊上げて伸張することにより、磁石４８が基台４２から取り外される。磁石４８が基台４２から取り外されると、磁石４８の吸着力を失った磁性球体４６は、案内枠４４に沿って位置Ｐ２まで移動する。磁性球体４６が案内枠４４の位置Ｐ２まで移動すると、案内機構１４Ａのスケールテープ１６に対する移動が制限される。また、位置Ｐ２では、磁性球体４６が案内枠４４に対して固定される。磁性球体４６を案内枠４４の位置Ｐ２で固定する方法は任意の構成を用いることができる。位置Ｐ２において磁性球体４６が案内枠４４に固定されることにより、基台４２が油水境界面Ｌ３近傍において、スケールテープ１６に対して固定される。
【００４０】
次に、図４（ｃ）に示すように、作業者がスケールテープ１６を巻き取ることで、タンクスケール１０を屋根部３０ｃ上部まで引き上げる。この際、固定機構４０によりフロート１２Ａがスケールテープ１６に連結されているため、フロート１２Ａもタンクスケール１０と共に引き上げられる。そして、作業者によりスケールテープ１６の案内機構１４Ａが固定された位置（例えば、磁性球体４６の位置）の目盛りが読み取られる。この目盛りの値がタンク内の水位を示している。なお、図４に示す構成では、固定機構４０による案内機構１４Ａの固定位置が油水境界面Ｌ３よりも下方であるため、紐状部材２３Ｂの長さを考慮して適宜水位を補正してもよい。このように、液位測定装置１Ａによれば、案内機構１４Ａが固定された位置に基づいて、容易に液位を測定することができる。
【００４１】
（変形例２）
次に、図５を参照して、変形例に係る液位測定装置１Ｂの構成と、液位測定装置１Ｂを用いたタンク内の水位の測定方法について説明する。液位測定装置１Ｂは、円柱形状のフロート１２Ｂ及び案内機構１４Ｂを備えている点が液位測定装置１と異なり、その他の点は液位測定装置１と同じである。以下では、主に液位測定装置１と異なる点について説明し、液位測定装置１と同じ点については説明を省略する。
【００４２】
案内機構１４Ｂは、フロート１２Ｂをスケールテープ１６に沿って移動可能に案内する機能を有する。案内機構１４Ｂは、案内機構１４Ｂをスケールテープ１６に対して固定する固定機構５０を備えている。固定機構５０は、固定具５１、固定具５２、及び磁石５４を含んでいる。固定具５１は、スケールテープ１６に沿って移動可能にスケールテープ１６に取り付けられている。ただし、固定具５１は、スケールテープ１６の基端方向に向かって外力が付与されると、その位置でスケールテープに対して固定されるように構成されている。固定具５１の構成としては、任意の構成を採用し得る。
【００４３】
固定具５２は、フロート１２Ｂの側面に取り付けられている。固定具５１及び固定具５２は、連結具５３により互いに連結されている。また、紐状部材２２は、その途中で紐状部材２２Ａ、２２Ｂに分岐している。紐状部材２２Ａの先端部には、磁石５４が取り付けられている。紐状部材２２Ｂの先端部は、固定具５１に接続されている。
【００４４】
フロート１２Ｂは、タンク３０内において、相対的に比重の小さな油の中で沈下し、相対的に比重の大きな水の中で浮上する。フロート１２Ｂは、略円柱状をなしている。フロート１２Ｂの基端部は、磁性体材料から構成される磁性部１３とされている。フロート１２Ｂの基端部では、磁性部１３と磁石５４とが磁気力により結合されることで、フロート１２Ｂの基端部が紐状部材２２Ａに取り付けられている。フロート１２Ｂの基端部が、磁石５４により紐状部材２２Ａに取り付けられているときには、紐状部材２２Ｂは弛んだ状態とされている。
【００４５】
タンク３０内の水位を測定する際には、まず作業員が、スケールテープ１６及び紐状部材２２の基端側、すなわち巻取機構２０及び巻取具２４を保持した状態で、タンクスケール１０及びフロート１２Ｂを第２検尺口３４を介してタンク３０内に投下する。図５（ａ）に示すように、このとき、フロート１２Ｂは、磁石５４の磁気力により紐状部材２２Ａに接続されている。
【００４６】
タンク３０内に投下されたタンクスケール１０は、図５（ｂ）に示すように、タンク３０の底部に到達し、分銅１８が底壁部３０ｂに接触する。一方、フロート１２Ｂは、案内機構１４Ｂによりスケールテープ１６に沿って移動し、やがて油水境界面Ｌ３において静止する。フロート１２Ｂが油水境界面Ｌ３において静止すると、フロート１２Ｂの浮力によって紐状部材２２が弛むため、作業者はフロート１２Ｂが油水境界面Ｌ３において静止したことを把握することができる。
【００４７】
続いて、図５（ｃ）に示すように、作業者が紐状部材２２を吊上げて伸張することにより、磁性部１３から磁石５４が取り外される。磁石４８が磁性部１３から取り外されると、紐状部材２２Ｂを介して、スケールテープ１６の基端方向に向かって外力が固定具５１に付与される。これにより、固定具５１が油水境界面Ｌ３近傍において、スケールテープ１６に対して固定される。
【００４８】
次に、図５（ｄ）に示すように、作業者がスケールテープ１６を巻き取ることで、タンクスケール１０を屋根部３０ｃ上部まで引き上げる。このとき、固定具５１及び固定具５２が連結具５３により互いに連結されているため、フロート１２Ｂもタンクスケール１０と共に引き上げられる。そして、作業者によりスケールテープ１６の固定具５１が固定された位置の目盛りが読み取られる。この目盛りの値がタンク内の水位を示している。なお、図５に示す構成では、固定具５１がスケールテープ１６に対して固定される位置が油水境界面Ｌ３よりも下方であるため、紐状部材２２Ｂの長さを考慮して水位を適宜補正してもよい。このように、液位測定装置１Ｂによれば、案内機構１４Ｂが固定された位置に基づいて、容易に液位を測定することができる。
【００４９】
なお、上記実施形態又は変形例では、油と水を貯蔵するタンク３０内の水位を測定する例について説明したが、液位測定装置１、１Ａ、１Ｂは、比重の異なる任意の液体のうち、比重の大きな液体の液位を測定し得る。この場合には、フロート１２、１２Ａ、１２Ｂは、相対的に比重の小さい液体よりも比重が大きく、相対的に比重が大きい液体よりも比重の小さい材料から構成される。
【００５０】
また、液位指示部２６は、必ずしも油水境界面Ｌ３と液位指示部２６の取付位置とが一致するように取り付けられていなくてもよい。例えば、スケールテープ１６の目盛りの基点がタンク底部からズレている場合には、そのズレの分だけ油水境界面Ｌ３と液位指示部２６の取付位置とがズレていてもよい。
【符号の説明】
【００５１】
１，１Ａ，１Ｂ…液位測定装置、１０…タンクスケール、１２，１２Ａ，１２Ｂ…フロート、１３…磁性部、１４，１４Ａ，１４Ｂ…案内機構、１６…スケールテープ、１８…分銅、２０…巻取機構、２０ａ…巻取リール、２０ｂ…ハンドル部、２２…紐状部材、２３…紐状部材、２４…巻取具、２６…液位指示部、３０…タンク、４０，５０…固定機構、Ｌ１…油層、Ｌ２…水層、Ｌ３…油水境界面、Ｓ…貯蔵空間。
【図１】
0003181823.tif 000003
【図２】
0003181823.tif 000004
【図３】
0003181823.tif 000005
【図４】
0003181823.tif 000006
【図５】
0003181823.tif 000007